(57)【要約】【課題】  ＡＤＦユニットの排紙トレーを用意する必要をなくし、省スペースとコストダウンを図る。【解決手段】  フラッドベッドスキャナの圧板が、別体のＡＤＦユニットの排紙トレーになる構成とする。【選択図】  図１
2010068418.tif 000002
【特許請求の範囲】
【請求項１】
原稿台ガラス上に置かれた原稿上の画像を、原稿台ガラスの原稿と反対側の第１の原稿読み取り部が走査することで読み取る第１の読み取りモードを有する画像読み取り装置において、
該画像読み取り装置は 紙葉状の原稿を搬送して前記原稿台ガラス近傍を通過させ、該原稿台ガラスの下部に前記第１の原稿読み取り部を停止させながら通過する紙葉状の原稿上の画像を読み取る第２の読み取りモードを有し、
該画像読み取り装置は、第１の読み取りモードの時前記原稿を前記原稿台ガラスに圧着するための圧板機能と、第２の読み取りモードの時通過した原稿を受け止める排紙トレーを兼ねる圧板を有することを特徴とする画像読み取り装置。
【請求項２】
前記圧板が読み取り装置本体から脱着可能であることを特徴とする請求項１に記載の画像読み取り装置。
【請求項３】
前記圧板が読み取り装置本体にヒンジで接続されたことを特徴とする請求項１に記載の画像読取装置。
【請求項４】
前記圧板の上部に前記原稿をガイドするためのリブを持ったことを特徴とする請求項１に記載の画像読み取り装置。
【請求項５】
前記圧板の下部に接地用の部位を持ったことを特徴とする請求項１に記載の画像読み取り装置。
【請求項６】
前記圧板の上部に前記リブを保護するカバーを有し、圧板を排紙トレーとして使用する時、前記カバーが接地用の部位となることを特徴とする請求項１〜請求項４のいずれかに記載の画像読み取り装置。
【発明の詳細な説明】
【技術分野】
【０００１】
本発明は、イメージスキャナ、ファクシミリ、複写機等の画像を読み取る機能を有する画像読取装置、またはこれらの画像読み取り部に関する。
【背景技術】
【０００２】
従来よりイメージスキャナ、ファクシミリ、複写機等の画像を読み取る機能を有する装置について様々な方式が考案されてきている。ここにその例を記述する。
【０００３】
図６は第１の従来例、図７は第２の従来例である。
【０００４】
図６のイメージスキャナは、原稿台ガラス１０１上に置かれ、圧板109によって圧着された原稿P101を第１の光学読み取り部１０２がX1の位置からX2の位置まで不図示の駆動手段により駆動され、原稿P101上の画像を読み取る第１の読み取りモードを有すると共に、原稿積載トレー１０３上に積載された紙葉上の原稿P102を排紙トレー１０４まで搬送する際に、停止している第１の光学読み取り部１０２と搬送部に固定された第２の光学読み取り部１２０とで原稿P102の表裏の画像を読み取る第２の読み取りモードを有する。第２の読み取りモードの詳細は、複数枚積載された原稿P102のうち一番下の原稿１枚を分離する分離ローラー１０５と分離パッド１０６により分離された原稿は、第１の搬送ローラー対１０７により搬送され、第２の光学読み取り部１２０に原稿の裏面の画像を読み取られ、更にX1の位置に停止している光学読み取り部１０２により原稿の表面の画像を読み取られる。その後原稿は第二の搬送ローラー１０８により排紙トレー１０４に排出される。更に分離ローラー１０５と分離パッド１０６により次の原稿が同様に搬送され原稿の表と裏の画像を読み取られる。
【０００５】
上記の例として、下記特許文献１をあげることが出来る。
【特許文献１】特開平１０−１３９２２２号公報
【発明の開示】
【発明が解決しようとする課題】
【０００６】
ここで示したように、従来の画像読み取り装置、特に従来例で説明したような原稿台ガラス上に置いた原稿を読み取る第１の読み取りモードと、原稿積載トレー上に置いた紙葉上の原稿をローラーで搬送させながら固定光学読み取り部で画像を読み取る第２の読み取りモードを有する画像読取装置は、本や通常原稿台ガラスより大きな新聞等の画像を取り込む際には第１の読み取りモードを使用し、紙葉状の原稿束などは一般的に自動で高速に処理できる第２の読み取りモードを使用でき大変便利である。その反面、第１読み取りモードのみの製品と比較して、第２の読み取りモードを持った製品は部品点数が増えることで装置の価格が上がってしまう、という問題点を有していた。
【課題を解決するための手段】
【０００７】
上記問題点を解決する為に、本発明の画像読取装置は、
１）原稿台ガラス上に置かれた原稿上の画像を、原稿台ガラスの原稿と反対側の第１の原稿読み取り部が走査することで読み取る第１の読み取りモードを有する画像読み取り装置であり、
該画像読み取り装置は、紙葉状の原稿を搬送して前記原稿台ガラス近傍を通過させ、該原稿台ガラスの下部に前記第１の原稿読み取り部を停止させながら通過する紙葉状の原稿上の画像を読み取る第２の読み取りモードを有し、
該画像読み取り装置は、第１の読み取りモードの時、前記原稿を前記原稿台ガラスに圧着するための圧板機能と、第２の読み取りモードの時、通過した原稿を受け止める排紙トレーを兼ねる圧板を有することを特徴としている。これにより排紙トレーを別途用意する必要が無くなり、部品点数の削減と製品重量の低減が図れる。また、
２）前記圧板が読み取り装置本体から脱着可能であることを特徴とする。
【０００８】
３）前記圧板が読み取り装置本体にヒンジで接続されたことを特徴とする。さらに、
４）前記圧板の上部に前記原稿をガイドするためのリブを持つことを特徴とする。５）前記圧板の下部に接地用の部位を持ったことを特徴とする。６）前記圧板の上部に前記リブを保護するカバーを有し、圧板を排紙トレーとして使用する時、前記カバーが接地用の部位となることを特徴とする。
【発明の効果】
【０００９】
以上説明したように、本発明によれば、軽量、小型かつ低コストで使い勝手の良い画像読み取り装置を提供できる。
【発明を実施するための最良の形態】
【００１０】
次に、本発明の詳細を実施例の記述に従って説明する。
【実施例１】
【００１１】
図を用いて本実施例の構成を説明する。図1は本実施例の斜視図、図2は本実施例の主断面図、図3は本実施例の平置き状態での斜視図、図4は実施例の平置き状態での断面図である。
【００１２】
本実施例では、本発明をコンピュータ等に原稿画像を取り込むイメージスキャナに実施している。本実施例では、原稿台ガラス１上にセットされた原稿P1を原稿台ガラス１に沿って移動する第１の光学読み取り部２により原稿P1上の画像を取り込む第１の読み取りモードと、原稿積載トレー３上に積載された原稿P2を排紙トレーを兼ねる圧板４まで搬送する際に停止している第１の光学読み取り部２と搬送部に固定された第２の読み取り光学部５とで原稿P2の表裏面の画像を読み取る第２の読み取りモードを有する。
【００１３】
以下に詳細を示す。
【００１４】
図１と図２は前述の２つのモードを有する本実施例のうち第２のモードで画像を読み取る時のスキャナの状態を示している。本スキャナは大きく分けて第１の読み取りモードの時に使用する平置き読み取り部６（フラットベッドスキャナ部）と第２の読み取りモードの時に使用する原稿送り読み取り部７（ADF部）を有し、図2ではこれらの結合物をスタンド８により原稿台ガラス１が斜めになるような状態で保持している。原稿送り読み取り部は、その画像を読み取る原稿P2とそれを積載する原稿トレー３が設けられている。その横にこれら原稿の束をスキャンするために１枚づつに分離する分離ローラー１０と分離パッド１１が設けられている。分離ローラー１０は、その表面がゴムなどの材質によるローラーで、また分離パッドは、ゴムなどの材質によるシートなどで、これらは互いに加圧されている。分離ローラー１０は不図示の駆動手段で回転駆動され原稿束のうち分離ローラー１０に一番近い側の原稿を第２の読み取り光学部５側に搬送すると共に分離パッド１１は、それ以外の原稿を搬送されないように止める役割をする。分離ローラー１０の下流には分離された１枚の原稿を第２の光学読み取り部側に搬送する第１の搬送ローラー対１２，１３を有しその下流側に原稿P1の裏面の画像を読み取る第２の読み取り光学部５を有する。第２の読み取り光学部はLEDによる光源とセルフォックレンズ、ライン受光センサーにより構成されるCISセンサーを使用している。ここではCISセンサーを使用しているが、冷陰極管などの光源と数枚の光路折り返しミラー、結像レンズ、CCDラインセンサーなどにより構成される縮小光学系を用いた読み取り光学部でも良い。この第２の光学読み取り部５の下流には原稿P2を排紙トレーを兼ねる圧板４側に搬送する第２の搬送ローラー対１４，１５が設けられている。圧板４は圧板本体４０と第１の読み取りモードの際に原稿を原稿台ガラス１に圧着するための圧着シート４１とヒンジ部４２で構成されている。圧板本体の上面には原稿の搬送をスムーズにするためのリブ４３が設けられている。圧板４は平置き読み取り部６から脱着可能であり、ヒンジ部４２を平置き読み取り部６から取り外し回転させ、結合方向を変えることにより、図３、図４のような状態にすることが可能である。平置き読み取り部６は原稿台ガラス１とその下に原稿台ガラス１に沿って不図示の駆動手段でＸ１の位置からＸ２の位置まで駆動される第１の光学読み取り部２を有する。この第１の光学読み取り部２も第２の光学読み取り部と同様で、LEDによる光源とセルフォックレンズ、ライン受光センサーにより構成されるCISセンサーを使用している。ここではCISセンサーを使用しているが、冷陰極管などの光源と数枚の光路折り返しミラー、結像レンズ、CCDラインセンサーなどにより構成される縮小光学系を用いた読み取り光学部でも良い。
【００１５】
図３、図４は、スタンド８及び原稿送り読み取り部７（ADF部）取り除いて平置き読み取り部６の原稿台ガラスが水平になるように設置した時の状態を示している。この状態では第１の読み取りモードで原稿台ガラス１上に置かれた原稿Ｐ１を第１の光学読み取り部２がＸ１の位置からＸ２の位置まで移動することで原稿Ｐ１上の画像を読み取る。圧板４はヒンジ部材４２との接続部により回動して開けた状態で原稿をセットし、圧板４を閉じて原稿をガラス１に圧着し読み取りをおこなう。
【００１６】
以下にこれらの図を用いて本実施例の動作を説明する。
【００１７】
使用者が紙葉状の原稿例えば、プリンターからプリントアウトした複数枚からなる原稿や本や雑誌のページを切り取って紙葉状にしたものなどをスキャンしたい場合には、使用者は通常は第２の読み取りモードを選択する。その際には使用者は、平置き読み取り部６（フラットベッドスキャナ部）、原稿送り読み取り部７（ADF部）、スタンド８及び圧板４を取り付けて図１に示すような斜め置き状態にする。使用者は原稿Ｐ２を原稿積載トレー３に乗せ、ＰＣ側から画像読み取り開始を行うと原稿送り読み取り部７を検出してＰＣは原稿送り読み取り部７側の分離ローラー１０を駆動し始める。これにより原稿積載トレー３に積載された原稿Ｐ１の一番下側にある原稿１枚が第１の搬送ローラー側に搬送され第２の読み取り光学部５を通過する際に原稿の片面（裏面）の画像が読み取られる。次に原稿Ｐ１がＸ１の位置に停止している第１の光学読み取り部２を通過する際に原稿Ｐ１の反対側の面（表面）の画像が読み取られる。第１の光学読み取り部２を通過した原稿Ｐ１は、第２の搬送ローラー対１４，１５により搬送され原稿Ｐ１を排紙トレー４部に搬送する。このようにして原稿積載トレー３に積載した原稿がすべて読み取られるまでこの動作が繰り返された後、画像読み取り動作を終了する。
【００１８】
このようにして第２の読み取りモードを使用する際にスキャナ自体を斜め置き状態にできるため、装置の使用面積を大幅に削減できる。また、排紙トレーを別途設ける必要がないためコストダウンと製品重量の低減を図れる。
【００１９】
次に、使用者が例えば本や雑誌などの厚手原稿、または新聞などの原稿台ガラスより大きな原稿、またプリント写真などのローラーでダメージを与えたくない原稿に対しては、通常第１の読み取りモードを選択する。その際には使用者は、原稿送り読み取り部７（ADF部）とスタンド８を取り外し、圧板４の位置を変え図３、図４に示すような水平置き状態にする。この場合には原稿送り読み取り部７（ADF部）が接続されていないことにより、ＰＣはスキャナが水平置きされており使用者は、原稿台ガラス１上に原稿を載せて第１の読み取りモードで読み取りを行うつもりであることを検出できる。それにより、ＰＣは原稿送り読み取り部７側の分離ローラー１０、第１搬送ローラー対１２，１３及び第２搬送ローラー対１４，１５の駆動はおこなわず、平置き読み取り部６の第１の光学読み取り部２を不図示の駆動手段によりＸ１の位置からＸ２の位置まで駆動し第１の光学読み取り部２により原稿台ガラス１上の原稿Ｐ１の画像を読み取る。
【００２０】
この状態においても、従来例に比較して高さ方向のサイズを大幅に小さくできる。
【実施例２】
【００２１】
図を用いて本実施例の構成を説明する。図７は本実施例の斜視図、図８は本実施例の主断面図、図５は本実施例の平置き状態での斜視図である。
【００２２】
本実施例では図７及び図８に示すように、実施例１と同様、平置き読み取り部６（フラットベッドスキャナ部）、原稿送り読み取り部７（ADF部）、スタンド８そして圧板４で構成されている。圧板４は平置き読み取り部６（フラットベッドスキャナ部）にヒンジ部４２にて回動可能に固定されている。また、リブ４３のカバー部４５が圧板４に回動可能に固定されている。
【００２３】
第２の読み取りモードの際には図７、図８に示すようにカバー部４５は接地面に対して垂直に立てられ、画像読取後に排紙された用紙が左右にずれないようにするための案内板としての役割と圧着シート４１が接地しないようにするためのスペーサの役割を持つ。
【００２４】
また、第１の読み取りモードの際には図５（ａ），図５（ｂ）に示すようにカバー部４５が回動し、圧板４を保護する役割を持つ。圧板４は図５（ｃ）に示すようにヒンジ部材４２を支点に回転する。
【００２５】
第１の読み取りモードの際にはヒンジ部４２と平置き読み取り部６との接続部により圧板４を開けた状態で原稿をセットし、圧板４を閉じて原稿をガラス１に圧着し読み取りをおこなう。
【００２６】
本実施例のヒンジの取り外しをする必要のない排紙トレーを兼ねた圧板４を実現する。またカバー部４５を持つことでリブ４３や圧着シート４１を保護すること機能を実現する。
【図面の簡単な説明】
【００２７】
【図１】第１の実施例の斜視図
【図２】第１の実施例の主断面図
【図３】第１の実施例の平置き状態での斜視図
【図４】第１の実施例の平置き状態での断面図
【図５】第２の実施例の平置き状態での斜視図
【図６】従来例の主要断面図
【図７】第２の実施例の斜視図
【図８】第２の実施例の主断面図
【符号の説明】
【００２８】
１  原稿台ガラス
２  第１の光学読み取り部
４  圧板
５  第２の光学読み取り部
６  平置き読み取り部
７  原稿送り読み取り部
８  スタンド
【図１】
2010068418.tif 000003
【図２】
2010068418.tif 000004
【図３】
2010068418.tif 000005
【図４】
2010068418.tif 000006
【図５】
2010068418.tif 000007
【図６】
2010068418.tif 000008
【図７】
2010068418.tif 000009
【図８】
2010068418.tif 000010